(57)【特許請求の範囲】
【請求項１】
モバイル装置のロケーションを決定するための方法において、
前記モバイル装置のロケーション情報を受信することと、
アクセスポイントを用いて、前記モバイル装置と通信しているロケーション機能性を含まない１つ以上の他の装置に、第１の無線ネットワークを用いて前記ロケーション情報を送信することと、
少なくとも一部分前記受信されたロケーション情報に基づいて前記モバイル装置にメッセージを送信することと、ここにおいて、前記送信されたメッセージは、１つ以上のロケーションベースサービス、ロケーションベースマーケティング、およびロケーションベースセールスメッセージである、を具備し、
前記ロケーション情報は、無線ワイドエリアネットワーク（ＷＷＡＮ）、無線ローカルエリアネットワーク（ＷＬＡＮ）または無線パーソナルエリアネットワーク（ＷＰＡＮ）の１つまたは複数から選択された第２の無線ネットワークをアクセスするか否かを決定するために１つまたは複数の他の装置によりアクセス可能である、ここにおいて、前記ＷＷＡＮ、ＷＬＡＮ、またはＷＰＡＮの１つまたは複数から選択された第２の無線ネットワークをアクセスするか否かを決定することは、前記モバイル装置に利用されているアプリケーションまたはモバイル装置にダウンロードされるアプリケーションの帯域幅、前記ＷＷＡＮ、ＷＬＡＮ、および／またはＷＰＡＮのモバイル装置のユーザに対するコスト、および信号強度または前記ＷＷＡＮ、ＷＬＡＮ、またはＷＰＡＮに関する識別された前記アクセスポイントの数に基づく現在のロケーションにおける前記モバイル装置に利用可能な最良の受信地域を含む基準から選択された基準に基づいて決定することを含む、方法。
【請求項２】
前記モバイル装置に近接した他の装置の送信されたロケーション情報に一部分基づいて前記１つ以上の他の装置にマルチメディアメッセージを送信することをさらに具備する、請求項１の方法。
【請求項３】
前記ロケーション情報およびユーザ嗜好に基づいて、小売に関する提供情報を前記モバイル装置または前記１つまたは複数の他の装置に供給することをさらに具備する、請求項１の方法。
【請求項４】
前記モバイル装置または前記１つまたは複数の装置からユーザ嗜好データを受信することと、
前記ユーザ嗜好データに一致する通信を前記モバイル装置または前記１つまたは複数の他の装置に送信することを、
をさらに具備する、請求項１の方法。
【請求項５】
前記モバイル装置からの前記ロケーション情報に基づいて前記１つまたは複数の他の装置の前記ロケーション情報を推定することをさらに具備する請求項１の方法。
【請求項６】
前記ロケーション情報は、ＷＷＡＮまたはＧＰＳを介してまたは非ロケーションベース装置のためのＷＬＡＮを介して取得される、請求項１の方法。
【請求項７】
モバイル装置のロケーションを決定する方法において、
第１の無線ネットワークを用いて、ロケーション機能性を有さない前記モバイル装置により位置推定を要求することと、
アクセスポイントから前記位置推定を受信することと、ここにおいて、前記位置推定は、ロケーション機能性を有する装置から受信されたロケーション情報に基づいている、  前記ロケーション情報は、無線ワイドエリアネットワーク（ＷＷＡＮ）、無線ローカルエリアネットワーク（ＷＬＡＮ）または無線パーソナルエリアネットワーク（ＷＰＡＮ）の１つまたは複数から選択された第２の無線ネットワークをアクセスするか否かを決定するために１つまたは複数の他の装置によりアクセス可能である、ここにおいて、前記ＷＷＡＮ、ＷＬＡＮ、またはＷＬＡＮの１つまたは複数から選択された第２の無線ネットワークをアクセスするか否かを決定することは、前記モバイル装置に利用されているアプリケーションまたはモバイル装置にダウンロードされるアプリケーションの帯域幅、前記ＷＷＡＮ、ＷＬＡＮ、および／またはＷＰＡＮのモバイル装置のユーザに対するコスト、および信号強度または前記ＷＷＡＮ、ＷＬＡＮ、またはＷＰＡＮに関する識別された前記アクセスポイントの数に基づく現在のロケーションにおける前記モバイル装置に利用可能な最良の受信地域を含む基準から選択された基準に基づいて決定することと、
ユーザに送信するメッセージに関連するユーザ嗜好を受信することと、
一部分前記ユーザ嗜好に基づいて前記メッセージを前記ユーザに送信するか否かを決定することと、
を含む、方法。
【請求項８】
前記ロケーション情報と共に通信のための音声データを発生することをさらに具備する、請求項７の方法。
【請求項９】
前記ユーザ嗜好に一致するメッセージなら前記メッセージを前記ユーザに転送することをさらに具備する、請求項７の方法。
【請求項１０】
前記メッセージが前記ユーザ嗜好に一致しないなら前記メッセージを無視することをさらに具備する、請求項７の方法。
【請求項１１】
前記メッセージは、前記ＷＷＡＮまたは前記ＷＬＡＮまたは前記ＷＰＡＮを介して送信される、請求項７の方法。
【請求項１２】
前記モバイル装置ロケーションにおいて利用可能なアプリケーションに基づいて前記ＷＷＡＮまたは前記ＷＬＡＮまたは前記ＷＰＡＮを利用するか否かを決定することをさらに具備する請求項１１の方法。
【請求項１３】
前記アクセスポイントから受信されたネットワーク特性に基づいて前記ＷＷＡＮまたは前記ＷＬＡＮまたは前記ＷＰＡＮを利用するか否かを決定することをさらに具備する、請求項１１の方法。
【請求項１４】
前記ネットワーク特性は、ネットワークタイプ、サービスのコスト、信号強度、識別されたアクセスポイントの数、帯域幅、および利用可能なアプリケーションを含む、請求項１３の方法。
【請求項１５】
前記ロケーション機能性を有する装置は、ＷＷＡＮまたはＧＰＳを介して前記ロケーション情報を取得する、請求項７の方法。
【請求項１６】
モバイル装置において、
ユーザマルチメディア嗜好に関連する情報を記憶するメモリと、
第１の無線ネットワークを介して前記モバイル装置の位置推定を受信するように動作可能な受信機と、
前記位置推定に基づいて、無線ワイドエリアネットワーク（ＷＷＡＮ）、無線ローカルエリアネットワーク（ＷＬＡＮ）または無線パーソナルエリアネットワーク（ＷＰＡＮ）の１つまたは複数から選択された第２の無線ネットワークへアクセスするか否かを決定し、ここにおいて、前記ＷＷＡＮ、ＷＬＡＮ、またはＷＬＡＮの１つまたは複数から選択された第２の無線ネットワークをアクセスするか否かを決定することは、前記モバイル装置に利用されているアプリケーションまたはモバイル装置にダウンロードされるアプリケーションの帯域幅、前記ＷＷＡＮ、ＷＬＡＮ、および／またはＷＰＡＮのモバイル装置のユーザに対するコスト、および信号強度または前記ＷＷＡＮ、ＷＬＡＮ、またはＷＰＡＮに関する識別された前記アクセスポイントの数に基づく現在のロケーションにおける前記モバイル装置に利用可能な最良の受信地域を含む基準から選択された基準に基づいて決定することを含む、
前記第２の無線ネットワークを介して受信されたマルチメディアメッセージが、前記位置推定および前記メモリに記憶されたユーザマルチメディア嗜好に基づいて前記モバイル装置のユーザに通信されるべきか否かを決定する、
少なくとも一部分前記受信されたロケーション情報に基づいて前記モバイル装置にメッセージを送信する、ここにおいて、前記送信されたメッセージは、１つ以上のロケーションベースサービス、ロケーションベースマーケティング、およびロケーションベースセールスメッセージである、ように構成されたプロセッサと、
を具備するモバイル装置。
【請求項１７】
ロケーションとユーザ嗜好とに基づいてマルチメディアコンテンツを受信する装置において、
装置ロケーション情報を発生する手段と、
ＷＬＡＮ機能性を供給するＷＬＡＮコンポーネントを介して前記ロケーション情報を送信する手段と、
無線ワイドエリアネットワーク（ＷＷＡＮ）、無線ローカルエリアネットワーク（ＷＬＡＮ）または無線パーソナルエリアネットワーク（ＷＰＡＮ）の１つまたは複数から選択された第２の無線ネットワークにアクセスすべきか否かを前記ロケーション情報に基づいて決定する手段と、ここにおいて、前記ＷＷＡＮ、ＷＬＡＮ、またはＷＬＡＮの１つまたは複数から選択された第２の無線ネットワークをアクセスするか否かを決定することは、前記モバイル装置に利用されているアプリケーションまたはモバイル装置にダウンロードされるアプリケーションの帯域幅、前記ＷＷＡＮ、ＷＬＡＮ、および／またはＷＰＡＮのモバイル装置のユーザに対するコスト、および信号強度または前記ＷＷＡＮ、ＷＬＡＮ、またはＷＰＡＮに関する識別された前記アクセスポイントの数に基づく現在のロケーションにおける前記モバイル装置に利用可能な最良の受信地域を含む基準から選択された基準に基づいて決定することを含む、
前記選択された第２の無線ネットワークを介してロケーションベースマルチメディアコンテンツを受信する手段と、
前記マルチメディアコンテンツをユーザに選択的に通信する手段と、
少なくとも一部分前記受信されたロケーション情報に基づいて前記モバイル装置にメッセージを送信する手段と、ここにおいて、前記送信されたメッセージは、１つ以上のロケーションベースサービス、ロケーションベースマーケティング、およびロケーションベースセールスメッセージである、を具備する装置。
【請求項１８】
ユーザ嗜好を記憶する手段をさらに具備し、
前記ロケーションベースマルチメディアコンテンツを前記ユーザに選択的に通信する手段は、通知が前記ユーザ嗜好に一致するなら前記ロケーションベースマルチメディアコンテンツを無線で前記ユーザに通信することを具備する、請求項１７の装置。
【請求項１９】
前記ロケーションベースマルチメディアコンテンツを前記ユーザに選択的に通信する手段は、前記通知が前記ユーザ嗜好と一致しないなら前記ロケーションベースマルチメディアコンテンツを前記ユーザに通信しないように動作可能である、請求項１８の装置。
【請求項２０】
前記装置ロケーションにおいて利用可能なアプリケーションに少なくとも一部分基づいて利用すべきネットワークを決定する手段をさらに具備する、請求項１７の装置。
【請求項２１】
ＷＰＡＮ機能性を供給するＷＰＡＮコンポーネントを前記ＷＬＡＮコンポーネントに接続する手段をさらに具備する、請求項１７の装置。
【発明の詳細な説明】
【関連出願に対するクロスリファレンス】
【０００１】
この出願は、参照することにより全体が本明細書に組み込まれる、２００５年７月７日に出願された「ワイヤレスワイドエリアネットワークおよびワイヤレスローカルエリアネットワークまたはワイヤレスパーソナルエリアネットワークのインターワーキングのための方法及び装置」(METHODS AND DEVICES FOR INTERWORKING OF WIRELESS WIDE AREA NETWORKS AND WIRELESS LOCAL AREA NETWORKS OR WIRELESS PERSONAL AREA NETWORKS)というタイトルの米国仮出願シリアル番号第６０／６９７，５０４および２００５年８月２９日に出願された米国仮出願シリアル番号第６０／１２，３２０からの３５Ｕ．Ｓ．Ｃ．§１１９（ｅ）に基づく利益を請求する。
【技術分野】
【０００２】
以下の記載は一般に無線ネットワークに関し、とりわけ、ワイヤレスワイドエリアネットワーク（ＷＷＡＮ）、ワイヤレスローカルエリアネットワーク（ＷＬＡＮ）、および／またはワイヤレスパーソナルエリアネットワーク（ＷＰＡＮ）の間の通信のシームレスインターワーキング(interworking)に関する。
【０００３】
電子装置は、複数の通信プロトコルを含むことができる。例えば、モバイル装置はｅメール、インターネットアクセス、並びに従来のセルラー通信を煩雑に供給する多機能装置になった。モバイル装置は、例えば、以下の技術のいずれかまたは両方を利用してワイドエリアワイヤレス接続性を備えることができる。第三世代無線またはセルラーシステム（３Ｇ）または電気電子技術者協会（ＩＥＥＥ）８０２．１６（ＷｉＭａｘ）および他の将来定義されるＷＷＡＮ技術。その一方で、ＩＥＥＥ８０２．１１に基づいたＷＬＡＮ接続性がモバイル装置に同様にインストールされつつある。近い将来、ウルトラワイドバンド（ＵＷＢ）および／またはブルートゥース(Bluetooth)（登録商標）に基づいたＷＰＡＮローカル接続性もまたモバイル装置において利用可能になるかもしれない。
【０００４】
電子装置内の多重通信プロトコルの他の例は、ラップトップをワイヤレスマウス、ワイヤレスキーボード等に接続するために利用されるＷＰＡＮを含んでもよいラップトップを含む。さらに、ラップトップは、任意の現在定義されているＩＥＥＥ８０２．１１プロトコル（ＩＥＥＥ８０２．１１ａ／ｂ／ｇ／ｉ／ｅ）またはＩＥＥＥ８０２．１１ファミリーにおける他の将来定義されるプロトコル（例えば、ＩＥＥＥ８０２．１１ｎ／ｓ／ｒ／ｐ）で動作する装置を含んでいてもよい。ＷＬＡＮは普及が進み、例えば、個人の目的のためにおよび仕事の目的のために、家庭および企業の両方でセットアップされつつある。さらにコーヒーショップ、インターネットカフェ、図書館、公共団体および民間の団体がＷＬＡＮｓを利用する。
【０００５】
ＷＷＡＮ技術は、ワイドエリア（ユビキタス）受信地域およびワイドエリア配備により区別される。しかしながら、それらは、ビルディングの貫通損失、受信地域の穴、およびＷＬＡＮおよびＷＰＡＮに比較して、帯域幅が制限されることに悩まされる可能性がある。ＷＬＡＮ技術とＷＰＡＮ技術は、数百のＭｂｐｓにほぼ等しい非常に高いデータレートを配信するが、受信地域はＷＬＡＮの場合には、典型的に数百フィートに制限され、ＷＰＡＮの場合には、数十フィートに制限される。
【０００６】
ネットワークとプロトコルの数は、固有のユーザー需要および相違するプロトコルに関連する機能性に対する需要により急激に増加し続ける。そのような異種のネットワークおよびプロトコルは、それらを切り替えることはユーザーにとって骨が折れることであり、一時に何がユーザーにとって最適であるかを意識せずに、ユーザーはネットワークに制限される。上述のことを考慮して、ユーザーにとって最良の通信プロトコルで最適化し、収束するためのネットワークおよび／またはプロトコルとの間のシームレスな遷移を提供する必用がある。
【発明の概要】
【０００７】
以下は、そのような実施形態のいくつかの観点の基本的理解を提供するために、１つ以上の実施形態の簡単化された要約を提供する。この要約は１つ以上の実施形態の広範な概説ではなく、実施形態の重要な要素を識別することを意図したものではなく、そのような実施形態の範囲を線引きすることを意図したものでもない。その唯一の目的は、後に提示されるより詳細な説明に対する前置きとして簡単な形態で記載された実施形態のいくつかの概念を提供することである。
【０００８】
個人が複数の異なるネットワークおよびプロトコルを移動するので、本明細書の実施形態は、スムーズでシームレスな通信を容易にするために種々のネットワークおよびプロトコルを介したユーザーのシームレスな遷移を提供する。実施形態は、種々のネットワークおよびプロトコルの間の遷移に対して種々の最適な技術を提供し、この遷移は、ユーザーの嗜好、ユーザーロケーション、信号強度、および／または他の基準に基づくことができる。そのようなシームレスな遷移はユーザーに対してトランスペアレント(transparent)であることができ、またはユーザー起動することができる。
【０００９】
１つの特徴によれば、モバイル装置のロケーション情報を送信するための方法がある。この方法は、モバイル装置のロケーション情報を受信することと、アクセスポイントを用いて、モバイル装置と通信しているロケーション機能性を含まない１つ以上の他の装置にロケーション情報を送信することを含む。メッセージは、少なくとも一部分受信されたアクセスロケーション情報に基づいてモバイル装置に送信することができる。
【００１０】
他の特徴によれば、装置ロケーションを決定するための方法がある。この方法は、ロケーション機能性を有さないモバイル装置の位置推定を要求することと、アクセスポイントから位置推定を受信することを含むことができる。位置推定は、ロケーション機能性を有した装置から受信された位置情報に基づくことができる。音声データは、ロケーション情報と一緒に通信するために発生することができる。
【００１１】
他の観点によれば、ユーザーマルチメディア嗜好に関連する情報を記憶するメモリを含むモバイル装置がある。モバイル装置にさらに含まれるものは、メモリに記憶された情報を解析し、一部分ユーザーロケーションに基づいて、受信されたマルチメディアメッセージをユーザーに通信すべきか否かを決定するプロセッサーである。他の観点によれば、モバイル装置は、ＷＬＡＮ機能性を供給するように供給されたＷＬＡＮコンポーネントとＷＷＡＮ機能性を供給するように構成されたＷＷＡＮコンポーネントを含む。トランシーバーはＷＷＡＮコンポーネントとＷＬＡＮコンポーネントに接続することができる。トランシーバーはＷＷＡＮコンポーネントに対して発生されたモバイル装置のロケーション情報を送信するように構成される。
【００１２】
さらに他の観点は、ロケーションとユーザーの嗜好に基づいてマルチメディアコンテンツを受信するための装置である。装置は、装置ロケーション情報を発生するための手段と、ＷＬＡＮ機能性を供給するＷＬＡＮコンポーネントを介してロケーション情報を送信する手段とを含む。また含まれるものは、ロケーションベースのマルチメディアコンテンツを受信する手段であり、マルチメディアコンテンツをユーザーに選択的に通信する手段である。
【００１３】
さらに他の観点は、位置情報をアクセスポイントに通信するためのコンピューター実行可能命令と、ロケーションベースのメッセージに関連するユーザー嗜好を記憶するコンピューター実行可能命令と、一部分ユーザー嗜好に基づいてロケーションベースのメッセージを選択的に受け取るコンピューター実行可能命令を記憶したコンピューター読み取り可能媒体である。ロケーションベースのメッセージは、ユーザー嗜好に一致するなら受け入れられることができる。ロケーションベースのメッセージがユーザー嗜好に一致しないなら、ロケーションベースのメッセージは受け入れられない。
【００１４】
さらに他の観点は、無線通信ネットワーク内のロケーションを決定するための命令を実行するプロセッサーである。命令は、アクセスポイントから位置推定を要求することと、アクセスポイントから位置推定を受信することとを含む。位置推定は、ロケーション機能性を有した装置から受信された位置情報に基づくことができる。命令はさらに音声メッセージで位置推定を通信する。
【００１５】
さらに他の観点はロケーションベースのサービスを供給するための方法である。この方法は、第１の装置と少なくとも第２の装置との間に無線通信ネットワークを確立することを含む。第１の装置に関連するロケーション情報は少なくとも第２の装置に通信される。
【００１６】
ロケーションベースのサービスは、一部分、第１の装置に関連する通信されたロケーション情報に基づいて第２の装置に対して調整される。
【００１７】
上述の目的および関連する目的の成就のために、１つ以上の実施形態は、下文に完全に記載され、特にクレームにおいて指摘された特徴を備える。以下の記載および付属の図面は、１つ以上の実施形態のある実例となる観点を詳細に説明する。しかしながら、これらの観点は、種々の実施形態の原理が採用されてもよい種々の方法の少数を示し、記載された実施形態は、すべてのそのような観点およびそれらの均等物を含むように意図される。
【図面の簡単な説明】
【００１８】
【図１】図１は、本明細書で提示される種々の実施形態に従う無線通信システムを図解する。
【図２】図２は１つ以上の実施形態に従う多重アクセス無線通信システムの説明図である。
【図３】図３はモバイル装置の一実施形態のブロック図である。
【図４】図４は、モバイル装置が接続されるべきネットワークのタイプを決定するための手順を図解する。
【図５】図５はモバイル装置の他の実施形態の簡単化されたブロック図である。
【図６】図６はＧＰＳ機能性コンポーネントを利用するモバイル装置のユーザーから受信された呼の位置を決定するための手順を図解する。
【図７】図７は、ＧＰＳ受信機を利用しない無線装置（例えば、携帯電話）の位置を決定するための他の手順を図解する。
【図８】図８は、ＷＷＡＮ、ＷＬＡＮ、および／またはＷＰＡＮネットワーク内のアクセスポイントを利用するための手順を図解する。
【図９】図９はＷＷＡＮとＷＬＡＮ／ＷＰＡＮとの間でモバイル装置をシームレスに切り替えるためにロケーション情報を利用するための手順を図解する。
【図１０】図１０は、モバイル装置のサービス（複数の場合もある）を自動的に強化するためにロケーション情報を利用するための手順の他の実施形態を図解する。
【図１１】図１１は、利用可能なアクセスポイントが無い状況において、アドホック (ad-hoc)ネットワークを提供する手順を図解する。
【図１２】図１２は、ＷＬＡＮ技術およびＷＷＡＮ技術を利用して構成することができる例示自己設定アドホックネットワークを図解する。
【図１３】図１３は、自己設定アドホックネットワークを構成するためにＷＬＡＮ技術およびＷＷＡＮ技術を利用するための手順を図解する。
【図１４】図１４はアクセス端末の同期を容易にするためにＷＷＡＮ制御チャネル上のネイバーリスト(neighbor lists)をイニシャライズするための手順を図解する。
【図１５】図１５はＷＬＡＮネットワークにおけるピアツーピア通信を図解する。
【図１６】図１６は、インデペンデントベーシックサービスセット（ＩＢＳＳ）ネットワークにおける登録および／または認証のための手順を図解する。
【図１７】図１７は例示アドホックメッシュネットワークを図解する。
【図１８】図１８は、本明細書に提示される１つ以上の実施形態に従う無線通信環境において複数の通信プロトコル間で通信を調整するシステムを図解する。
【図１９】図１９は、種々の観点に従う無線通信環境において通信を調整するシステムを図解する。
【図２０】図２０は本明細書において記載された種々のシステムおよび方法と併せて採用することができる無線通信環境を図解する。
【発明を実施するための形態】
【００１９】
図面を参照して種々の実施形態が記載される。以下の記載において、説明の目的のために、１つ以上の観点の完全な理解を供給するために、多数の特定の詳細が説明される。
【００２０】
しかしながら、そのような実施形態（複数の場合もある）は、これらの特定の詳細なしに実施してもよいことは明白かもしれない。他の例において、これらの実施形態を記載するのを容易にするために良く知られた構造と装置がブロック図の形式で示される。
【００２１】
この出願において使用されるように、「コンポーネント」、「システム」等という用語は、ハードウエア、ファームウエア、ハードウエアとソフトウエアの組み合わせ、ソフトウエアまたは実行中のソフトウエアであるコンピューター関連エンティティを指すように意図される。例えば、コンポーネントはこれらに限定されないが、プロセッサー上で実行されているプロセス、プロセッサー、オブジェクト、実行ファイル、実行のスレッド、プログラム、および／またはコンピューターであってよい。実例として、計算装置上で実行されているアプリケーションと計算装置の両方がコンポーネントであり得る。１つ以上のコンポーネントは、実行のプロセスおよび／またはスレッド内に存在することができ、コンポーネントは、１つのコンピューター上でローカライズされてもよくおよび／または２つ以上のコンピューター間で配信されてもよい。さらに、これらのコンポーネントは、種々のデータ構造が記憶された種々のコンピューター読み取り可能媒体から実行することができる。コンポーネントは、１つ以上のデータパケット（例えば、ローカルシステム、分散システム、および／または信号を介して他のシステムとのインターネットのようなネットワークを介して他のコンポーネントと相互作用する１つのコンポーネントからのデータ）を有する信号に従う場合のようにローカルプロセスおよび／またはリモートプロセスを経由して通信してもよい。
【００２２】
開示された実施形態は、種々の発見的および／または推論スキームおよび／または採用されるネットワークまたは通信プロトコルを動的に変化させることに関連した技術を含むことができる。本明細書で使用されるように、「推論」という用語は一般に何かについて推論するプロセスまたは、イベントおよび／またはデータを介して得られた観察のセットから、システム、環境および／またはユーザーの推論状態を指す。推論は特定のコンテキストまたはアクションを識別するために採用することができ、または、例えば状態に対して確率分布を発生することができる。推論は蓋然論であり得る。すなわち、データとイベントの考察に基づいて関心のある状態に対する確率分布の計算であり得る。また、推論は、イベントおよび／またはデータのセットから、より高いレベルのイベントを構成するために採用される技術を指すことができる。そのような推論は、イベントが一時的近接近に相関していようとなかろうと、そしてイベントおよびデータが１つまたはいくつかのイベントソースおよびデータソースから生じようと生じまいと、観察されたイベントおよび／または記憶されたイベントデータのセットから新しいイベントまたはアクションの構成を生じる。
【００２３】
従って、ユーザーは本明細書に記載した実施形態に従って、異なる通信領域に自動的にシフトされることができ、または出たり入ったりすることが出来ることが意図される。オートマチックアクション（例えば、通信セッションの期間に、ユーザーをＷＷＡＮからＷＬＡＮにシームレスに遷移させること）は、通信セッションの処理、並びに第三の通信、パッシブ／バックグラウンド通信および来るべきセッションの処理に対するユーザーの意図を推論する機能として解釈することができる。オートマチックアクションを行うことに対して、機械学習技術を実施して、オートマチックアクションの実行を容易にすることができる。さらに、ユーティリティベースの解析（例えば、正しいオートマチックアクションを取るファクタリングベネフィット(factoring benefit)対正しくないアクションを取るコスト）はオートマチックアクションを実行することに組み込むことができる。特に、これらの人口知能（ＡＩ）ベースの観点は、任意の適切な機械学習ベースの技術および／または統計ベースの技術および／または蓋然論ベースの技術により実施することができる。例えば、エキスパートシステム、ファジィ論理、サポートベクトルマシン、グリーディサーチアルゴリズム(greedy search algorithms)、ルールベースシステム、ベイズモデル（例えば、ベイズネットワーク）、ニューラルネットワーク、他の非線形トレーニング技術、データ融合、ユーティリティベース分析システム、ベイズモデルを採用したシステム、・・・が意図され、本明細書に添付されたクレームの範囲内に入るように意図される。
【００２４】
さらに、種々の実施形態が加入者局に関連して本明細書に記載される。また、加入者局は、システム、加入者装置、移動局、モバイル、遠隔局、アクセスポイント、基地局、遠隔端末、アクセス端末、ユーザー端末、ユーザーエージェント、またはユーザー機器と呼ばれることができる。加入者局は、携帯電話、コードレス電話、セッション開始プロトコル（ＳＩＰ）電話、無線ローカルループ（ＷＬＬ）局、パーソナルデジタルアシスタント（ＰＤＡ）、無線接続能力を有するハンドヘルド装置、または無線モデムに接続された他の処理装置であってよい。
【００２５】
さらに、本明細書に記載された種々の観点または特徴は、標準のプログラミングおよび／またはエンジニアリング技術を用いた方法、装置、または製品として実施されてもよい。本明細書で使用されるような「製品」という用語は、任意のコンピューター読み取り可能装置、キャリア、または媒体からアクセス可能なコンピュータープログラムを含むように意図される。例えば、コンピューター読み取り可能な媒体は、これらに限定されないが、磁気記憶装置（例えば、ハードディスク、フロッピー（登録商標）ディスク、マグネットストライプ・・・）、光ディスク（例えば、コンパクトディスク（ＣＤ）、デジタル汎用ディスク（ＤＶＤ・・・）、スマートカード、フラッシュメモリ装置（例えば、カード、スティック、キードライブ(key drive)・・・）を含むことができる。
【００２６】
次に図面を参照すると、図１は、本明細書に提示された種々の実施形態に従う無線通信システム１００を図解する。システム１００は、無線通信信号を互いに、および／または１つ以上のモバイル装置１０４に受信し、送信し、反復する、等の１つ以上のアクセスポイント（複数の場合もある）１０２を含むことができる。アクセスポイント（複数の場合もある）１０２は、ワイヤレスシステム１００と有線ネットワーク（図示せず）との間のインターフェースを表すことができる。
【００２７】
各アクセスポイント１０２は、送信器チェーンと受信器チェーンを含むことができる。それらの各々は次には、信号送信および受信に関連する複数のコンポーネント（例えば、プロセッサー、変調器、マルチプレクサー、復調器、デマルチプレクサー、アンテナ・・・）を含むことができる。モバイル装置１０４は、例えば、携帯電話、スマートフォーン、ラップトップ、ハンドヘルド通信装置、ハンドヘルドコンピューティングデバイス、衛星ラジオ、全地球測位システム、ＰＤＡｓ、および／またはワイヤレスシステム１００を介して通信するための装置であり得る。ワイヤレスシステム１００において、アクセスポイント１０２からの小さなデータパケットの周期的送信（一般にビーコンと呼ばれる）は、ワイヤレスシステム１００の存在と送信システム１００情報を知らせることができる。モバイル装置１０４は、ビーコンを検知し、アクセスポイント１０２および／または他のモバイル装置１０４に無線接続を確立しようと試みることができる。
【００２８】
システム１００は、種々のネットワークおよび／またはプロトコルを介してシームレスな遷移を容易にし、モバイル装置１０４を使用するユーザーに、利用可能なネットワークおよびプロトコルを利用する能力を供給する。また、システム１００は、ユーザーに、ユーザーの現在のロケーションまたはデータ使用並びにネットワークの他のユーザーが与えられて、最良のネットワークおよび／またはプロトコルを利用するための機会を提供する。
【００２９】
モバイル装置１０４内に位置するコンポーネントは、１つ以上のアクセスポイント１０２と連動して動作することができ、どのユーザーが各ネットワーク内にいるのかを監視するのを容易にし、ＧＰＳコンポーネントおよび／またはモバイル装置１０４に関連するＷＷＡＮコンポーネントを介して容易にすることができる。あるいは、またはさらに、ロケーション情報は、ＷＬＡＮアクセスポイントから、ＧＰＳまたは他のロケーションコンポーネント（複数の場合もある）を含まないモバイル装置に関連したＷＬＡＮコンポーネントに供給することができる。ロケーション情報は、（受信ビーコンと送信ビーコンを含む）アクセスポイント１０４と近接するまたは通信するＧＰＳまたはＷＡＮ有能マルチモードアクセス端末（複数の場合も有る）を介して得られたロケーション情報を介してロケーション能力を有さないモバイル装置（複数の場合もある）に供給することができる。
【００３０】
ロケーション情報は、どのユーザーが二次ネットワークに対してトランスペアレントハンドオフを有するのが最も適しているかを予測するために利用することができる。例えば、オープンエリアモール(open area mall)において、ユーザーは一般的なワイドバンドネットワークに接続されたモバイル装置１０４を使用することができる。ユーザーが特定の商人に接近すると、モバイル装置１０４は、ブルートゥース、狭帯域等にシームレスに切り替えることができる。モバイル装置が切り替えられたネットワークは、ユーザーがモバイル装置１０４にプッシュまたはプルされることを所望するコンテンツの機能であり得る。
【００３１】
マーチャント(merchant)ネットワークは、ショッピングモールのダイナミクスにより重畳することができるので、モバイル装置１０４はユーザーからの相互作用なしに自発的に種々のマーチャントネットワークの間でシームレスに切り替わることができる。システム１００は、ネットワークが互いに連携することを可能にし、一方のネットワークから他方のネットワークにモバイル装置１０４をハンドオフすることを可能にする。これは、ユーザーのロケーションと、装置にプッシュ／プルされる所望のコンテンツを監視することができるＧＰＳコンポーネントを用いて遂行することができる。
【００３２】
図２は、１つ以上の実施形態に従う多重アクセス無線通信システムの説明図である。図解されるものは、有線ローカルエリアネットワーク（ＬＡＮ）に関連するＷＬＡＮを含むシステム２００である。アクセスポイント１０２はモバイル装置１０４と通信することができる。アクセスポイント１０２はEthernet（登録商標）ハブまたはＬＡＮのためのスイッチ２０２に接続される。Ethernet（登録商標）ハブ２０２は、パーソナルコンピューター、周辺装置（例えば、ファクシミリ機械、コピー機、プリンタ、スキャナー等）、サーバー等を含むことができる１つ以上の電子装置２０４に接続してもよい。Ethernet（登録商標）ハブ２０２は、データパケットをモデム２０８に送信するルーター２０６に接続することができる。モデム２０８は、データパケットを、インターネットのようなワイドエリアネットワーク（ＷＡＮ）２１０に送信することができる。システム２００は単一の簡単なネットワーク構成を図解する。代替電子装置を含むシステム２００の多くのさらなる構成が可能である。システム２００が図解され、ＬＡＮを参照して記載されたけれども、システム２００は、独立してまたは同時にＷＷＡＮおよび／またはＷＰＡＮを含む他の技術を利用することができることが可能である。
【００３３】
システム２００は、モバイル装置１４０により現在使用されているアクセスポイントから、システム２００に関連するアクセスポイント１０２にシームレスに切り交わることを容易にすることができる。アクセスポイント１０２へのそのような転送およびアクセスポイント１０２によりサポートされるネットワークへのそのような転送は、モバイル装置１０４のユーザーに求められている機能性を供給するように選択することができ、モバイル装置１０４の機能またはユーザーがアクセスしたいまたはモバイル装置１０４にアップロードしたいデータの機能であり得る。一例として限定されないが、無線装置は、電子装置（複数の場合もある）２０４に接続して、電子装置（複数の場合もある）２０４を介して利用可能なＷＷＡＮおよび／またはＷＬＡＮ機能性を利用することができる。そのような遷移はユーザーが開始することができ、またはシステム２００により自立的に実行することができる。
【００３４】
図３はモバイル装置３００の一実施形態の簡単化されたブロック図を図解する。モバイル装置３００は、ＷＷＡＮ（例えば、スペクトル拡散技術を利用した技術である符号分割多重アクセス（ＣＤＭＡ））、ＷＬＡＮ（例えば、ＩＥＥＥ８０２．１１）および／または関連する技術を含むことができる。モバイル装置３００は、ボイスオーバーインターネットプロトコル（ＶｏＩＰ）電話として利用することができる。ＶｏＩＰは、インターネットを介しておよび／またはＩＰネットワークを介して音声電話会話の送信を含む。ＶｏＩＰは家庭においてモバイル装置３００により利用することができる。または、ＶｏＩＰサービスを供給するブロードバンドネットワークに接続されたワイヤレスアクセスポイント（ＷＡＰ）の付近にあるとき利用することができる。他の状況において、モバイル装置３００は、通信サービスを供給しながら通常の無線携帯電話として動作することができる。
【００３５】
一実施形態において、ＷＷＡＮ機能性を供給するＷＷＡＮコンポーネント３０２と、ＷＬＡＮ機能性を供給するＷＬＡＮコンポーネント３０４は一緒に位置し、バス３０６または他の構造または装置を介してトランシーバー３０８と通信することができる。バス以外の通信手段が開示された実施形態で利用することができることが理解されなければならない。トランシーバー３０８は１つ以上のアンテナ３１０に接続され、モバイル装置３００による送信および／または受信を可能にする。ＷＬＡＮコンポーネント３０４は、通信のためにトランシーバー３０８に供給される音声データを発生することができる。一実施形態において、ＷＷＡＮ機能性コンポーネント３０２および／またはＷＬＡＮ機能性コンポーネント３０４は、モバイル装置３００のプロセッサーに含めることができる。他の実施形態において、WWAN機能性およびWLAN機能性は別個の集積回路によって提供することができる。さらなる実施形態において、WWAN機能性およびWLAN機能性は、両方によって利用される機能性を含む1つ以上の集積回路によって提供することができる。サービスおよびユーザー経験の豊富な組合せを可能にするために、モバイル装置300は、ワイドエリア(WWAN)およびローカルエリア(WLANとWPAN)のために接続性オプションを装備している。
【００３６】
ＷＬＡＮ機能性コンポーネント３０４は、オプショナルＷＰＡＮ機能性コンポーネント３１２を含むことができる。モバイル装置３００は、モバイル装置の機能に関連する１つ以上の基準に基づいて、ＷＷＡＮまたはＷＬＡＮおよびＷＰＡＮのいずれか、または同時に両方に接続することができる。基準はモバイル装置のメモリに記憶することができ、プロセッサーは、記憶された基準に基づいてネットワークを解析することができる。これらの基準および関連する接続決定は、図４を参照して記載される。図４は、モバイル装置が接続されるべきネットワークのタイプを決定するための手順を図解する。説明を簡単にするために、手順は一連の行為として示され記載されているけれども、手順は行為の順番により限定されず、いくつかの行為は、これらの手順に従って、異なる順番で生じてもよく、および／または本明細書に示され記載される行為から他の行為と同時に生じてもよいことが理解されるべきである。例えば、当業者は、手順は、状態図のように一連の相互に関係のある状態またはイベントとして代替的に表すことができることを理解するであろう。さらに、以下の手順を実施するために、すべての図解された行為を必要としなくてもよい。
【００３７】
方法は、４０２において、ネットワークへアクセスするためのモバイル装置によるリクエストで開始する。ネットワークは、ＷＷＡＮ、ＷＬＡＮ、および／またはＷＰＡＮであり得る。リクエストが送信されると、ネットワーク（複数の場合もある）に関連する１つ以上のアクセスポイントはリクエストを受信することができ、各ネットワークの特性を含むことができるネットワーク情報に応答することができる。例えば、モバイル装置は、ネットワークタイプ情報、帯域幅情報、サービスのコスト、利用可能なアプリケーション、信号強度、識別されたアクセスポイントの数等を受信することができる。
【００３８】
ネットワーク情報を受信するときとほぼ同じときに、どのネットワーク接続がモバイル装置のユーザーにとって最良の結果を提供するかを決定するために、４０６においてモバイル装置はある基準を解析することができる。例えば、基準は、モバイル装置により利用されているアプリケーション（複数の場合も有る）またはモバイル装置にダウンロードされるアプリケーションの帯域幅必要性に基づいてモバイル装置に利用可能な帯域幅を含むことができる。他の実施形態において、基準は、ＷＷＡＮおよび／またはＷＬＡＮのモバイル装置のユーザーに対するコストであり得る（例えば、最も低いコストサービスプロバイダー）。さらなる実施形態において、決定は、ＷＷＡＮおよび／またはＷＬＡＮを用いて利用可能なアプリケーション（複数の場合もある）に基づくことができる。さらなる実施形態において、基準は、（例えば、信号強度またはＷＷＡＮおよび／またはＷＬＡＮのための識別されたアクセスポイントの数に基づいて）現在のロケーションにおけるモバイル装置に利用可能な最良の受信地域であり得る。他の実施形態は、１つ以上の上で特定した基準並びにサービスプロバイダーによりモバイル装置のユーザーにより定義することができる他の基準を組み合わせることができる。基準は、ＷＷＡＮ機能性コンポーネント、ＷＬＡＮ機能性コンポーネント、ＷＷＡＮ機能性コンポーネントおよびＷＬＡＮ機能性コンポーネントの両方またはモバイル装置に常駐する他のコントローラーにおいて具現化することができる。
【００３９】
４０６において解析された基準に基づいて、４０８において、モバイル装置はＷＷＡＮまたはＷＬＡＮおよびＷＰＡＮに、別個に接続することができる。さらなる実施形態において、モバイル装置は、ＷＷＡＮとＷＬＡＮとＷＰＡＮに同時に接続することができる。
【００４０】
別個にまたは同時に接続するか否かの決定は、解析された基準および１つ以上の基準を満足するために可能な最良の接続に基づく。
【００４１】
ＷＷＡＮとＷＬＡＮ（およびＷＰＡＮ）との間の相互作用は、多重無線ネットワーキングプロバイダー、多重サービスプロバイダー、およびロケーションによる利用可能な接続性オプションのデータベース、または他の異種のネットワークトポロジーを含むことができる。例えば、新しいアクセスポイントは、ネットワークサービスプロバイダーまたはＷＬＡＮおよび／またはＷＰＡＮ機能性のためのプライベートエンティティ（例えば、民間企業または同種のものにより提供されるアクセスポイント）により追加されるので、ＷＷＡＮサービスプロバイダーは、ロケーションによる利用可能なネットワーキングおよびサービスのアップツーデートデータベースを維持してもよい。さらに、いくつかの実施形態において、ＷＷＡＮは、サービスプロバイダーにより確立されていないＷＬＡＮおよびまたはＷＰＡＮマルチホップメッシュ(multi-hop mesh)の存在を利用することによりその接続性を拡張することができる。マルチホップメッシュネットワークにおいて、簡単なルーターとして動作する小さなノードをインストールすることができる。次に各ノードは他の隣接するノードに到達することができる低電力の信号を送信する。これらの隣接ノードは隣接する他のノードに送信する。データがその最終あて先に到達するまで、このプロセスを反復することができる。
【００４２】
モバイル装置におけるこれらの技術の組み合わせは、個々の各技術（ＷＷＡＮ、ＷＬＡＮ、および／またはＷＰＡＮ）から利用できない新しいタイプの使用モデルおよびサービスを可能にする。ＷＷＡＮ技術とＷＬＡＮ技術との間の相互作用により作成されるこれらのアプリケーションは多数のエリアに分類することができる。例えば、これらの技術は、ロケーションベースサービス、タイミングベースサービス、および／またはトポロジーベースサービスに分類することができる。ロケーションベースサービスは、緊急サービスを提供するためにモバイル装置ユーザーのロケーションを確かめる必要がある緊急状況を含むことができる。しかしながら、本明細書において記載した実施形態は緊急サービスに限定されない。例えば、モバイル装置のユーザー（エンドユーザー）は、ロケーションベース請求サービスを所望してもよい。これらのタイプのサービスはユーザーのロケーションに応じて異なるレートでユーザーが請求されるこれらのサービスを含む。例えば、ユーザーが家にいるならユーザーは１つのレートを有していてもよく、ユーザーがオフィス（または他の仕事場）またはインターネットキオスクまたはインターネットカフェにいるとき、異なるレートを有していてもよい。他の実施形態において、ロケーション情報は、モバイル装置にダウンロードすることができるマルチメディアコンテンツを供給するために利用することができる。このマルチメディアコンテンツは、異なるマルチメディアコンテンツを供給することができるスポーツスタジアムまたはショッピングモールにユーザーがいるかどうかに基づいてロケーションに依存することができる。
【００４３】
図５を参照すると、図解されるものは、モバイル装置５００の他の実施形態の簡単化されたブロック図である。一実施形態において、ＷＷＡＮ機能性を提供するＷＷＡＮコンポーネント５０２とＷＬＡＮ機能性を提供するＷＬＡＮコンポーネント５０４はモバイル装置５００内に位置され、バス５０６または他の構造または装置を介してトランシーバー５０８と通信することができる。トランシーバー５０８は１つ以上のアンテナ５１０に接続され、モバイル装置５００による送信および受信を可能にする。ＷＬＡＮ機能性コンポーネント５０４はオプショナルＷＰＡＮ機能性コンポーネント５１２を含むことができる。さらに、グローバルポジショニングサービス（ＧＰＳ）機能性コンポーネント５１４は、位置および／またはタイミングベース機能性を可能にするために提供することができる。位置またはロケーション情報およびタイミングベース機能性を利用する多数のアプリケーションを提供することができる。
【００４４】
例えば、小売モールまたはショッピングセンター（屋内および／または屋外）において、小売店は、同じまたは異なるサービスプロバイダーにより維持されるアクセスポイントを有してもよい。ユーザーがモールの周りを歩くと、異なるアクセスポイントが同時にユーザーをピックアップするかもしれない。小売店のロケーションのためにＷＬＡＮのいくつかの重複があるかもしれないので、ユーザーの正確なまたはおおよそのロケーションは、ＧＰＳコンポーネントまたは他の位置決め手段を介して確立することができる。ユーザーがミュージックストアまたはビデオキオスク等に近づいているなら、ユーザーは、映画または音楽を買うために小売店からの申し出を受信することができる。システム（複数の場合もある）はユーザーがいる場所を知っているので、小売店は、ユーザーのロケーションを利用することにより申し出を推奨することができる。また、申し出は、モバイル装置内に内部的にまたはサービスプロバイダーにより外部的に、ユーザーにより以前に確立されたユーザー嗜好に基づくことが出来る。ユーザーはその申し出を利用するように、または申し出を拒絶するように選択することができる。ユーザー嗜好が知られているならある小売店は、望まないサービスをユーザーに提供することを防止することができることが理解されるべきである。
【００４５】
例えば、ユーザーが映画をダウンロードすることを選択するなら、ユーザーはＷＡＮをアクセスすることができ、クレジットカードおよび／またはあらかじめ決められた支払い方法（例えば、e-wallet）で映画の支払いをすることができる。支払いの確認の後に、ユーザーは、特定の映画を所有することに関連した権利、管理、および他の特徴とともに選択された映画を受け取ることができる。権利とコンテンツを配信するために異なるネットワークが使用されてもよい。１つのシナリオにおいて、権利は、ＷＷＡＮを用いて配信されてもよく、コンテンツ自体はＷＬＡＮを介してアクセスされる。実際のサービス（例えば、映画）は、必要条件に応じて、ＷＬＡＮまたはＷＷＡＮを介してアクセスすることができる。例えば、ＤＶＤはデータスループットのためにＷＬＡＮを介してモバイル装置にダウンロードすることができる。データをアップロードするためにどの機能性を利用するかの決定は、ＷＷＡＮ機能性を提供するＷＷＡＮコンポーネント、ＷＬＡＮ機能性を提供するＷＬＡＮコンポーネント、またはＷＷＡＮコンポーネントとＷＬＡＮコンポーネントの両方の組み合わせにより決定することができる。モバイル装置に関連するコントローラーまたはプロセッサーによっても決定することができる。
【００４６】
図６は、ＧＰＳ機能性コンポーネントを利用するモバイル装置のユーザーから受信された呼の位置を決定するための手順６００を図解する。この方法は、モバイル装置のユーザーにより呼が開始されたとき６０２において開始する。この呼は緊急通話（例えば、９１１の呼）であり得る。または、緊急ではない呼であり得る。一実施形態において、６０２において呼が開始されると、セッションイニシエーションプロトコルに基づいたシグナリングメッセージは、ＧＰＳ機能性コンポーネントにより供給されたロケーション情報を運ぶことができる。ＳＩＰは、インターネット会議、電話、イベント通知、ビデオ、インスタントメッセージング、オンラインゲーム、および／またはバーチャルリアリティのようなオプショナルマルチメディアエレメントを含むことができるインタラクティブユーザーセッションを開始し、変更し、終了するために利用することができるシグナリングプロトコルである。例えば、６０４において、ロケーション情報はＶｏＩＰ呼エージェントに運ぶことができる。したがって、緊急事態が発生する場合、ＶｏＩＰ呼エージェントはロケーション情報を有し、呼び出し元のロケーションを知っている。６０６において、ＶｏＩＰ呼エージェントはこの情報を適当なエージェンシーに供給することができる。これは、呼び出し元が呼び出し位置を知らずおよび／またはそのような情報を呼受取人に通信することができないときに有用である。
【００４７】
他の実施形態において、呼は、ユーザーのホームネットワーク／ＷＬＡＮのサービスエリア外部において作ることができる。例えば、ＷＬＡＮ  ＡＰは、ユーザーの家に配置してもよく、ユーザーはユーザーの裏庭で携帯電話で話してもよい。ユーザーが話しをしているとき、ユーザーは、（意図的におよび／または非意図的に）異なるＷＬＡＮによりサービスされるサービスエリア上を歩き回っているかもしれない。他の実施形態において、ユーザーは携帯電話を遠隔部位（例えば、友達の家、親戚の家、学校）に持って行ってもよい。
【００４８】
他の実施形態において、呼は６０２において開始される。モバイル装置がワイヤレスアクセスポイント（ＷＡＰ）を介してブロードバンドアクセスを有するロケーションにいるなら、モバイル装置は、６０８においてそのようなブロードバンドアクセスを利用する。モバイル装置のロケーションは、装置のＷＷＡＮインターフェースを利用して得られるロケーション情報を送信することができるトランシーバーを介して、呼の期間、６１０において提供することができる。ＷＬＡＮ機能性により発生された音声データは、ロケーション情報と一緒に送信される通信のためにトランシーバーに供給することができる。この手順は、例えば、子供が緊急通話（または非緊急通話）するためにハンドセットを使用することができる学校または教育環境において利用することができる。ハンドセットは、ユーザー（子供）の位置を決定するための学校および／または他の施設により提供されるブロードバンドアクセスを利用することができ、情報を呼の受取人（例えば、警察、消防署）に供給することができる。従って、子供（または他の人）は、子供がロケーション情報を通信する必要なくして、位置を決定することができる。
【００４９】
図７を参照すると、図解されているものは、ＧＰＳ機能性を提供するＧＰＳ受信機またはＧＰＳコンポーネントを利用しない無線装置（例えば、携帯電話）の位置を決定するための手順７００である。単一モードアクセス端末は、ＷＬＡＮまたはＷＰＡＮのような単一機能性を有するアクセス端末である。例えば、家庭においてＶｏＩＰを取扱う携帯電話は一般に埋め込まれたＧＰＳ技術を利用しない。しかしながら、いくつかの状況(例えば、緊急時）において、ＧＰＳ技術を有さないモバイル装置のロケーションを決定することは依然として重要であるかもしれない。ユーザーが装置を異なるロケーション（例えば、教育施設、友達の家）に運んだとき、装置が家から離れているときでさえも、装置のロケーションは依然として決定することができる。この決定は、ＧＰＳ技術を利用しないモバイル装置の近傍にある他の装置（複数の場合も有る）の周知のロケーションに基づくことができる。近傍は同じアクセスポイントおよび／またはＧＰＳ技術を有さない携帯電話により利用されるアクセスポイントのある地理的エリア内のアクセスポイントを含んでいてもよい。
【００５０】
呼が、ＧＰＳ技術を有さないモバイル装置のユーザーにより開始されるとき、７０２においてロケーションの決定が開始される。モバイル装置は、電話をかけるためにアクセスポイントにコンタクトする。アクセスポイントはリストを有することができる。または同時にデュアルモード装置（複数の場合もある）（例えば、ＷＬＡＮ、ＷＰＡＮ、および／またはＧＰＳ機能性を利用する装置）から情報を受信することができる。デュアルモード装置（複数の場合も有る）は、制御メッセージまたは管理メッセージを介して動作のモード（インフラストラクチャまたはアドホック）に応じてロケーション情報をアクセスポイントまたは他のＷＬＡＮステーション（ユーザー端末）に供給することができる。デュアルアクセス端末からのロケーション情報を有するアクセスポイントは、この情報をインフラストラクチャネットワークにブロードキャストすることができる。アクセスポイントの近傍にある他のユーザー端末は、７０８においてロケーション管理のためにその情報を使用することができる。７１０において、ＶｏＩＰアクセス端末は、ＳＩＰシグナリングメッセージ内のロケーション情報を使用してロケーション情報を示すことができる。７１２において、ロケーション情報は、ロケーションベースサービスおよび／またはマーケティングおよび／またはセールスメッセージをモバイル装置（複数の場合もある）に供給するために利用することができる。ユーザーが屋外モールまたは屋内モールのような小売店にいるなら、モバイル装置のユーザーに特定の小売情報に関する情報を供給するために、ロケーション情報を利用することができる。破線により示されるように、マーケティングおよび／または広告はオプションであり、開示された実施形態で利用されなくてもよいことが理解されるべきである。
【００５１】
ユーザーは、ユーザーの最後の周知の座標である、特定の場所からビルに入るので、ビル内部にいるユーザーのロケーションは、おおよそ近似値を求めることができる。最後の周知の座標は、ユーザーがビルを出て、ＧＰＳ機能性および／または他の位置決定手段を利用して新しいロケーションを確立することができるときまで、ラッチまたは維持することができる。ユーザーがビルまたは建造物を出ると、アクセス端末は、ＧＰＳまたは他の位置決定手段を介して現在の位置を獲得するであろう。さらに、ビルに入る複数のユーザーがいることができ、各ユーザーの最後の周知の座標を結合して、特定のアクセスポイント（ＷＬＡＮ）および／または基地局（ＷＡＮ）のためのレンジ決定を構成することができる。アクセスポイント（ＷＬＡＮ）は、基地局（ＷＡＮ）に対しておよび／またはロケーション情報をアクセスポイントにフィードバックする任意の装置に対してその位置を決定することができる。従って、アクセスポイントが自分のロケーションを決定するための手段を有さないかもしれないとしても、ロケーション情報は、そのアクセスポイントをアクセスするモバイル装置を介して提供される。
【００５２】
図８は、ＷＷＡＮ、ＷＬＡＮ，および／またはＷＰＡＮネットワーク内のアクセスポイントを利用するための手順８００を図解する。ＷＷＡＮおよびＷＬＡＮおよび／またはＷＰＡＮ機能性を有するモバイル装置は、例えば、モバイル装置に位置することができるＧＰＳ受信器からまたはＷＷＡＮのパイロットシグナリングを介して正確なネットワークタイミングを受信することができる。このタイミングはサービスの質（ＱｏＳ）および／またはハンドオフ管理のために利用することができる。領域内にあるモバイル装置および／またはホットスポットまたは多重アクセスポイントの近傍にあるモバイル装置は、８０２においてアクセスポイントからビーコンを受信することができる。ビーコンを受信すると、８０４において、モバイル装置は、内部ＧＰＳ機能性を利用してまたはＷＷＡＮインターフェースを介して得られるＷＷＡＮタイミングに関連するビーコンの到着時刻をタイムスタンプすることができる。ビーコン情報は、ＷＬＡＮ  ＡＰ等において、アクセスポイント識別子、アクセスポイントロケーション、現在のネットワーク負荷を含むことができる。スタンプされた到着時刻および他の情報は、８０６において、例えば、ＷＷＡＮリンクを介してネットワーク管理（ＮＭ）システムに、モバイル装置により送信することができる。８０８において、ＮＭシステムは、アクセスポイントおよび／または到着時刻のリストを保持する。この情報は、ＮＭシステムに関連するデータベースまたはメモリにより保持することができる。例えば、ＷＷＡＮおよび／またはＷＬＡＮのためのＮＭシステムは、ＷＬＡＮ／ＷＰＡＮのエリア内の検出されたアクセスポイント、アクセスポイントが使用しているチャネル、および／またはそれらのビーコン送信時間、および各ＡＰにおける現在の負荷のリストを保持する。ユーザーは、適切なＡＰおよび／または加入するネットワークを選択する際にこの情報を利用することができる。
【００５３】
８１０において、ＮＭシステムは、モバイル装置が接続することができるエリア内のアクセスポイントのリストをモバイル装置に送信することができる。８０８において、アクセスポイントリストは、それぞれのチャネルおよび／またはビーコン送信時間およびアクセスポイントにおける現在の負荷並びにＮＭシステムにより収集され保持される他の情報を含むことができる。
【００５４】
他の実施形態において、モバイル装置（例えば、アクセス端末）は、アクセスポイントの各々に対してビーコン時間を合わせることができ、受信されたチャネル品質情報（例えば、ＳＮＲ）を測定することができる。モバイル装置は、現在のＡＰとともに現在のネットワークおよび他のネットワークのリンク品質についての情報を共有することができる。この情報は８０８においてＮＭシステムに渡すことができ、他のユーザーに対してアクセス可能にすることができる。そのような方法で、ＷＬＡＮ／ＷＰＡＮのためのハンドオフ管理は提供することができる。さらにまたは代替的に、この情報は、特定のシグナリングおよび／または情報エレメントビーコンを介して各アクセスポイントによりブロードキャストすることができる。情報エレメントビーコンは、ＮＭシステムまたは隣接ネットワーク情報を更新するために、アクセスポイントの近傍にあるモバイル装置（複数の場合もある）により利用することができる。
【００５５】
他の実施形態において、図９の手順９００に図解されるように、ＷＷＡＮとＷＬＡＮ／ＷＰＡＮとの間のモバイル装置をシームレスに切り替えるためにロケーション情報を利用することができる。方法は９０２において始まる。この場合、モバイル装置のロケーション情報は、ＧＰＳ機能性コンポーネントまたは他の位置決定手段（例えば、三角測量、近傍内の他の装置のロケーション・・・）を介して利用可能にすることができる。９０４において、ＷＷＡＮを介して利用可能な信号品質は貧弱であるという表示はモバイル装置に送信することができる。例えば、モバイル装置は、特定の機能を実行するためにおよび／またはその装置のための特定のリンクのための必要条件／サービスの質を満足するために、特定の帯域幅および／または信号強度が利用可能でなければならないことを示すことができる。リンク条件がこれらの要件および／または品質レベルに適合しないなら、メッセージを送信することができ、および／またはモバイル装置により発生することができる。システム要件に関する情報（例えば、帯域幅、信号強度・・・）は、モバイル装置のメモリに記憶することができ、情報は１つ以上の装置アプリケーションに関連するので、サービスプロバイダーおよび／またはユーザーにより提供される情報に基づいていてもよい。モバイル装置に関連するプロセッサーは、記憶された情報を解析することができ、システム要件が満足されるか否かを決定する。必要条件が満足されるなら、装置は、現在のネットワークに接続することができる。必要条件が満足されないなら、装置は、装置必要条件を満足するネットワークをサーチすることができる。
【００５６】
例えば、ＷＬＡＮ機能性は９０６においてビーコンを検出することができ、ＷＬＡＮアクセスポイントにおいて利用可能な信号強度および／または帯域幅を決定する。この情報は、例えば、帯域幅および／または信号強度がＷＷＡＮ上でよりもＷＬＡＮ上で優れているなら、ＷＷＡＮからＷＬＡＮに切り替えるための決定をするために、９０８において、ＷＷＡＮおよび／またはＷＬＡＮ機能性コンポーネントを介してモバイル装置により利用することができる。この情報はＷＬＡＮからＷＷＡＮに切り替えるために利用することができる。ＷＬＡＮからＷＷＡＮへの遷移および／またはＷＷＡＮからＷＬＡＮへの遷移はシームレスであり、そのような装置のユーザーは、ネットワークのタイプにおいて切替があったことに気づかないかもしれないことが理解されるべきである。
【００５７】
他の実施形態において、９０６において決定された信号強度および／または帯域幅は、９１０において他の装置に接続するために利用することができる。例えば、モバイル装置が他の装置との接続性を可能にするなら、モバイル装置は、これらの他の装置に接続することができる。そのような方法において、モバイル装置は、ＷＬＡＮを介して提供される接続を利用する。一例として限定されないが、無線装置は、コンピューターを介して利用可能なＷＷＡＮおよび／またはＷＬＡＮ機能性を利用するためにコンピューターに接続することができる。
【００５８】
図１０はモバイル装置のサービス（複数の場合もある）を自動的に強化するためにロケーション情報を利用するための手順１０００の他の実施形態を図解する。例えば、ＷＷＡＮを介してアクセス端末上でビデオ通話を開始することができる。例えば、ＷＷＡＮ上の不十分な帯域幅を介して、ビデオおよび／またはグラフィクス分解能は、貧弱になるかもしれないまたは貧弱になる。代替的にまたはさらに、ユーザーはオフィスで会議を開始することができ、会議の期間に他のロケーション（例えば、自宅、コーヒーショップ、図書館・・・）に移動することを望むかもしれない。これは、異なる時間ゾーンにいる呼び出し元に適応するために深夜に電話をかける状況を含む。呼は１つのロケーションにおいて開始することができ、会話の期間、どちらかのパーティまたは両方のパーティが異なるロケーションに移動することができる。ユーザー（複数の場合もある）がロケーションを変えるので、呼は中断されることなく継続することができる。モバイル装置は、異なるアクセスポイントおよび／またはネットワークを介して移動されるとき、モバイル装置はシームレスに認証することができる。
【００５９】
１００２において、アクセスポイント（例えば、ＷＷＡＮアクセスポイント）に接近してモバイル装置が移動すると、モバイル装置のＧＰＳコンポーネントまたは他の位置決定手段により提供されるロケーション情報はネットワークマネージメント（ＮＭ）システムに送信することができる。１００４において、ＮＭシステムは、アクセス端末にアクセスポイントを探すように指示することができ、エリア内に存在するＷＬＡＮ  ＡＰｓについての情報、それらの動作チャネル、ビーコンタイミング、および他の情報を提供する。１００６においてアクセス端末は、アクセスポイントをサーチすることができ、ビーコンに連続追跡することができ、これは、ＮＭシステムにより提供されるビーコンタイミングであり得る。１００８において、例えば、ハンドオフは、装置をＷＷＡＮからＷＬＡＮにおよび／またはＷＬＡＮからＷＷＡＮに切り替えるように実行することができる。ＷＬＡＮは典型的にブロードバンドネットワークに接続されているので、呼品質は、呼送信がＷＬＡＮに出力先を変更するなら著しく改良される。ビデオとグラフィクスの分解能は大いに改良されることができる。モバイル装置（例えば、アクセス端末）は、コンピューターディスプレイに取り付け、高い分解能のビデオ呼を利用することができる。これは、強化された性能またはアクセスが以前に利用できなかったエリア内の性能のような可能な強化されたサービスを構成する。
【００６０】
代替的にまたはさらに、ＩＥＥＥ８０２．１１ｎ  ＷＬＡＮ規格において、タイムベーススケジューリングを行うことができる。例えば、アクセスポイントは、アクセス端末へのパケットの送信およびアクセス端末からのパケットの受信のためのスケジュールを宣言することができる。アクセス端末は所定の時間にパケットを受信することができ、パケットを送信すべき時間が生じるとパケットを送信することができる。これらのスケジュールは、ＷＷＡＮシグナリングリンクを介してＮＭシステムにより通信することができ調整することができる。ＮＭシステムは、適切なスケジュール情報とともに異なるアクセスポイントに異なるアクセス端末を割り当てることができる。
【００６１】
さらなる実施形態において、あるアプリケーションは、厳しいジッターニーズ(jitter needs)を持つことができ、ネットワークからタイミングを受信する必要があるかもしれない。例えば、ＶｏＩＰにおいて、ジッターは、パケット到着間の時間の変化であり、ネットワーク輻輳、タイミングドリフトおよび／またはルート変更により生じることができる。
【００６２】
モバイル装置において利用可能な正確なタイミングはジッターニーズを有したアプリケーションのために利用することができる。アクセスポイントおよびモバイル装置は、ネットワーククロックから駆動することができる。アクセスポイントが正確なクロックを有していないなら、モバイル装置は、ＧＰＳ機能性を提供するＧＰＳコンポーネントを介してのように、アクセスポイントにタイミングを供給することができる。アクセスポイントは、デュアルモードでないおよび／またはタイミング機能性を有さないアクセス端末により利用可能なモバイル装置から受信されたタイミングを作ることができる。
【００６３】
さらなる実施形態において、ＷＷＡＮおよびＷＬＡＮ技術は、自己設定アドホックネットワークを構成するために利用することができる。アドホックネットワークは、アクセスポイントを利用するインフラストラクチャモードで動作することができる。またはステーション（例えば、モバイル装置）のみから構成されるがアクセスポイントを持たない無線ネットワークであり得る。または、インフラストラクチャモード（アクセスポイント）およびピアツーピアモードの両方を利用するネットワークであり得る。また、アドホックネットワークは、独立したベーシックサービスセット（ＩＢＳＳ）ネットワークと呼ぶことができる。
【００６４】
アドホックネットワークは、アプリケーションシナリオに応じて異なる特性を持つことができる。例えば、ある緊急シナリオ（例えば、災害）において、異なるエージェンシー（例えば、消防署、警察、治安機関・・・）は異なる周波数を利用するかもしれないので、通信は最小の中断で維持することができる。それゆえ、これらのエージェンシーは、効率的に応答することができないかもしれないまたは互いに通信する際に困難性を有するかもしれない。デュアルモードアクセス端末は、緊急（およびルーチン）状況の期間に複数のエージェシーの必要性を扱うことができる低コストコマーシャルシステムを提供することができる。
【００６５】
図１１を参照すると、図解されるものは利用可能なアクセスポイントがない状況においてアドホックネットワークを供給する手順１１００である。これは、救急隊員がデュアルモードアクセス端末を有する場合に、ビル内部で有益である。方法は、１１０２で始まり、ビルまたは他の収容されるエリア内に位置する端末はＷＬＡＮモードにある。メッセージが端末において開始されるとき、端末は持っているすべての情報をその付近のアクセス端末に中継する。１１０４において、情報を受信する各端末は、（端末ユーザーからおよび他の端末からの両方）有する情報をそれぞれの付近内の端末に中継する。１１０６において、端末間の情報のこの中継は、ＩＢＳＳネットワークを形成する。１１０８において、情報は、最終的に、ＷＷＡＮ接続を有することができるアクセス端末に送られる。従って、急速に変化する緊急環境において、アクセス端末が端末のユーザー並びにその付近の他のアクセス端末から受信する情報をブロードキャストするための単一の実施を形成することができる。これは、帯域幅の非最適な利用を作成することができるけれども、情報が最終的にビル外部に送信することができ、適切な受取人により受信することができる十分な冗長度を提供する。
【００６６】
代わりの実施形態において、より複雑な実施は、１１１０において示されるように、ルート構築のために、オープンショーテストパスファースト（ＯＳＰＦ）タイプのプロトコルを使用することができる。ＯＳＰＦは、ＩＰネットワークのためにオリジナルに開発された内部ゲートウエイルーチングプロトコルである。プロトコルはショーテストパートファーストまたはルーターが情報をネットワーク内のノードに送信するために使用することができるリンクステートアルゴリズムに基づいている。各ノードへのショーテストパスは、ノードを含むトポグラフィに基づいて計算することができる。しかしながら、これらのプロトコルは収束するのに多少の時間がかかるかもしれず、トポロジーが常に変化している状況では適切でないかもしれないということに留意する必要がある。
【００６７】
図１２は、ＷＬＡＮ技術および／またはＷＷＡＮ技術を利用して構成することができる例示自己設定アドホックネットワーク１２００を図解する。例えば、大都市エリアは、高い帯域幅を持たなければならないが、高い移動性を必要としないアプリケーションに対して、ＷＬＡＮノードのクラスターによってサービスを受けることができる。一般に、ファイバリンク上のすべてのＬＡＮノードからＷＡＮへの迂回中継トラヒックは高価な計画であり、それゆえ自己設定アドホックネットワークはより安価な代替物を提供することができる。
【００６８】
図解されるように、モバイル装置１２０２は、ＷＬＡＮノード１２０４、１２０６、１２０８のクラスターとワイヤレスに通信することができる。少数のノード１２０４、１２０６がファイバ迂回中継施設に接続されるかもしれない。一方、他のノード（複数の場合もある）１２８は、ファイバ迂回中継施設１２１０に接続されない。１つの施設が示されているけれども、ネットワークは１つ以上の施設を含むことができることが理解されなければならない。ＷＬＡＮノード１２０４、１２０６、１２０８は、モバイル装置１２０２および／またはノード１２０８のようなソースノードからのトラヒックをノード１２０４、１２０６のようなファイバ送信施設により接続されたノードに中継するために利用することができる。
【００６９】
１つ以上のノードは、ノード１２０８のような複数のＷＬＡＮチャネル上で同時に動作するように構成されたホットスポットノードであり得る。チャネル１２１２の１つは、ノードに関連するステーションからのトラヒックをピックアップするために利用することができる。他の１つ（またはそれ以上の）チャネル１２１４は、中継機能を実行するために利用することができる。あるいは、シングルチャネル１２１６は、ホットスポットノード１２０４と相関することができ、シングルチャネル１２１６は、トラヒックをピックアップし、中継機能性を実行するために利用することができる。
【００７０】
ネットワークトポロジーを構成すること、異なるノードにチャネルを割り当てること、および／またはルーチングを決定することは、ＷＬＡＮノード１２０４、１２０６、１２０８間の制御、調整および通信を介して提供されなければならない。この機能性を達成するために、１つ以上のＷＬＡＮノードは、ノード１２０６で図解されるように、ＷＷＡＮ機能をその中に組み込むことができる。デュアル機能性は、制御の目的のために利用することができる帯域外チャネルを利用可能にする。
【００７１】
ネットワークマネージメント（ＮＭ）システム１２１８は、アドホックネットワーク１２００と関連し、イニシャルトポグラフィを作成することができる。また、ＮＭシステムは、どのチャネル１２１２、１２１４、１２１６を使用するかを決定することができる。ＮＭシステムの他の機能は、ノード１２０４、１２０６、１２０８間のルーチングの決定であり得る。
【００７２】
一例として、限定されないが、ハンドセットを提供することができる。または、第１のアクセスポイントがそのピークにあり、ある時間にどの周波数でそのリソースの大部分を使用しているかという情報をＷＡＮを介して得ることができる。第１のアクセスポイントに近接近する異なるアクセスポイントは、異なる時間に異なる周波数でそのピークに到達してもよい。この情報を用いて、ハンドセットは、第２のアクセスポイントにより利用されるチャネルまたは周波数に継続的に調整される必要はない。なぜなら、ハンドセットには、すでに、第１および第２のアクセスポイントについての情報を供給することができるからである。そのような方法で、ハンドセットは、いずれかのアクセスポイントのビーコンに同調し聞くときを知る。また、ハンドセットは、異なるアクセスポイントに移動することができるか否かおよび／またはロケーションおよびタイミング情報の両方を利用する周波数を決定することができる。
【００７３】
図１３を参照すると、図１２を参照して図示され説明されたネットワークと類似する自己設定アドホックネットワークを構成するために、ＷＬＡＮおよび／またはＷＷＡＮ技術を利用するための手順１３００が図解される。方法は１３０２において始まる。各ノードは、そのＧＰＳ座標を示すためにＷＷＡＮチャネル利用する。これはＮＭシステムに通信することができる。１３０４において、各ノードのロケーションの知識を有するＮＭシステムはイニシャルトポロジーを作成することができる。トポロジーは、ノードとノードから、ファイバによりＷＡＮに接続されたノードへの異なるルートとの間の豊富な接続性を得るように設計される。また、１３０６において、ＮＭシステムは使用されるチャネル並びにルーチングを決定することができる。１３０８において、各ノードに関係する情報は、ＷＷＡＮにダウンロードすることができる。ワイヤレスホットスポットがアクティブになると、１３１０においてさらなる測定を収集することができる。１３１２において、受信された信号強度は、ＮＭシステムに送信することができる。ＮＭシステムは、実際のフィールド条件を考慮するためにイニシャルトポロジーとルーチングを利用することができる。さらに、アクセスポイントは、自分自身を同期させるためにＷＷＡＮにより発生されたタイミング情報を利用することができる。
【００７４】
上に記載された手順およびシステムは、集中型のアプローチであり、強いＱｏＳ必要性を有するホットスポットの大きなネットワークに対して使用することができる。ネットワークのキャパシティは、干渉を最小にしながら最大にすることができる。
【００７５】
図１４は、アクセス端末の同期を容易にするためにＷＷＡＮ制御チャネル上のネイバーリストをイニシャライズするための手順１４００の他の実施形態を図解する。この手順は、自己設定ワイヤレスメッシュネットワークに利用することができる。ＷＬＡＮノードがイニシャライズするとき、１４０２において、手順が始まる。ノードがイニシャライズするときと実質的に類似する時間で、ノードは、１４０４においてＷＷＡＮ制御チャネル上のネイバーリストを交換する。これらのネイバーリストは、周辺地域のアクセスポイントの情報および／またはこれらのアクセスポイントを利用しているモバイル装置の情報を含むことができる。例えば、ネイバーリストは、ＷＷＡＮを介した通信に応答してモバイル装置により送信されたタイミング信号を含むことができる。オープンショーテストパスファースト（ＯＳＰＦ）のようなプロトコルを利用してネイバーリストを交換し、分散された方法でショーテストパスを作成することができる。１４０４において、タイミングリストの交換は、ＷＬＡＮを介して送信されたおよびＷＷＡＮを介した通信に応答して送信されたタイミング信号に基づいて送信された第２のタイミング信号を含むことができる。モバイル装置またはアクセス端末は、ＷＬＡＮを介して、第２のタイミング信号に基づいて１つ以上の他のアクセス端末と通信するために、１４０６において、自己同期するためにＷＷＡＮにより発生されたタイミング情報を利用することができる。これは、その周辺が（例えば、ネイバーリストからまたは自身のＷＷＡＮ機能を介して直接）知られている最も近いＷＷＡＮまたはＷＬＡＮアクセスポイントを介して直接行うことができる。あるいは、ＷＷＡＮまたはＷＬＡＮアクセスポイントは、結合されたＷＷＡＮおよびＷＬＡＮ機能性を有するアクセス端末からこの情報を受信してもよい。例えば、タイミング信号の送信は、タイミング信号を第１のアクセス端末から、第１アクセス端末と同期する１つ以上の他の端末に送信することを含むことができる。
【００７６】
図１５は、ＷＬＡＮネットワークにおけるピアツーピア通信１５００を図解する。あるシナリオにおいて、個々のアクセス端末１５０２および１５０４は、１つ以上のＷＬＡＮアクセスポイント１５０６、１５０８を用いて互いに通信することができる。この通信を改良するために、ＷＷＡＮアクセスポイント１５０８、１５１０からのタイミング情報を利用してアクセス端末クロックを同期させることができる。いくつかのアクセスポイントは、ＷＬＡＮ機能性１５０６のみをまたはＷＷＡＮ機能性１５１０のみをまたはＷＬＡＮ機能性とＷＷＡＮ機能性の両方の結合１５０８を含むことができることが理解されるであろう。
【００７７】
装置がＷＷＡＮ機能性１５１２、１５１４またはＷＷＡＮアクセスポイントの知識を有しているなら、タイミング情報は、ＷＬＡＮアクセスポイントを介して提供することができる。あるいは、いずれかまたは両方のアクセス端末上のＷＷＡＮ機能性は、ＷＬＡＮを介して通信するために情報を使用することができるアクセス端末にこの情報を供給するために利用することができる。
【００７８】
図１６は、独立したベーシックサービスセット（ＩＢＳＳ）ネットワークにおいて登録および／または認証のための手順１６００を図解する。ＩＢＳＳネットワークは、バックボーンインフラストラクチャを有さないＩＥＥＥ８０２．１１ベースワイヤレスネットワークである。ＩＢＳＳネットワークは、少なくとも２つのワイヤレスステーションから構成される。ＩＢＳＳネットワークは、少しの計画でまたは全く計画なくして迅速に構築することができるので、アドホックネットワークと呼ぶことができる。アクセス端末またはＷＬＡＮアクセスポイントに存在するＷＷＡＮ機能性は、ＷＬＡＮアクセスポイントを介したサービスへの通信またはアクセスのために、アクセス端末の登録および／または認証のために利用することができる。
【００７９】
方法は１６０２で始まる。この場合、アクセス端末におけるＷＷＡＮ機能性は、装置識別または登録メッセージ（例えば、加入者識別モジュール上に存在する装置識別）を示すことができる。第１登録メッセージは暗号化鍵を含むことができる。装置識別または登録メッセージは、第１のアクセス端末からＷＷＡＮを介して認証することができる。１６０４において、第２の登録メッセージまたは装置識別は、ＷＬＡＮアクセスポイントまたは他のサービスに送信し供給することができる。第２の登録メッセージは、第１の登録メッセージに基づくことができる。ＷＬＡＮへのメッセージは、迂回中継を介してまたは無線トークンを介して、またはアクセス端末のためのＷＷＡＮを介して得られたエアーインターフェースを介して送信することができる。また、これは、ＷＷＡＮシステムまたはＷＬＡＮシステムを介して認証することができる装置に固有の暗号鍵を利用することを可能にする。
【００８０】
登録／認証アプローチは、アクセス端末のユーザーが、ＷＬＡＮ機能性を有するが、ブロードバンドまたはネットワーク、例えばインターネットへの完全な迂回中継接続を欠いているキオスクと無線通信している場合に有益である。この状況において、販売シナリオ（例えば、音楽、ビデオ、または他の情報）のための認証または課金情報はＷＷＡＮを介して提供することができる。例えば、ユーザー識別は、それが装置固有であろうとなかろうとまたはユーザー固有であろうとなかろうと（例えば、パスワードまたは暗号鍵）ＷＷＡＮ全体にわたって交換することができる。これは、１６０６において、アクセス端末がトークンまたは他の認証コードを取得することを可能にする。１６０８において、トークンまたは他の認証コードは、無線でキオスクに送信することができ、アクセス端末がビデオ、歌、または他のマルチメディアコンテンツをアクセス可能にする。そのような方法で、ＷＬＡＮを介してアクセスは、アクセス端末に供与される。第２の登録メッセージがＷＷＡＮを介してアクセス端末に送信された後、第３の登録メッセージが、第２の登録メッセージに基づいて、アクセス端末からＷＬＡＮアクセスポイントに送信することができる。この第３の登録メッセージは、無線インターフェースを含む種々のメディアを介して送信することができる。
【００８１】
また、このマルチメディアコンテンツもモバイル装置のロケーションに基づいて提供することができる。例えば、モールでは、マルチメディアコンテンツは、ユーザーロケーション並びにユーザー嗜好に基づいて１つ以上の小売店並びに他の小売店から提供することができる。ユーザー嗜好は、以前にユーザーにより通信され、モバイル装置のメモリに記憶された嗜好であり得る。モバイル装置に関連するプロセッサーは、メモリに記憶された情報を解析することができ、マルチメディアコンテンツが受け取られるべきかどうかおよびユーザーに通信されるべきかどうかまたは無視して装置のユーザーに通信しないかどうかを決定することができる。他の実施形態において、ユーザー嗜好は、情報を保持するサービスプロバイダーに通信することができる。例えば、ユーザーがスポーツ用品店の近くにおり、そのようなユーザーがスポーツおよび／またはスポーツ用品に関連する任意の情報（例えば、経常販売高、値引き、イベント・・・）を望まないことを以前に示していたなら、特定の店によりブロードキャストされる情報がユーザーのモバイル装置に送信されるのを防止することができる。マルチメディアコンテンツはオプションであり、開示された実施形態は、マルチメディアコンテンツを採用することなく利用できることが理解されなければならない。
【００８２】
他の実施形態によれば、アドホックＷＬＡＮネットワークは、ＷＷＡＮを介して接続することができる。例えば、１つ以上のＩＢＳＳネットワークが発見されるなら、それらは、ＷＷＡＮにより提供される迂回中継を介して接続することができる。所定のＩＢＳＳにおいて、１つ以上のＷＬＡＮノード／ステーションがＷＷＡＮのアクセスポイントにより発見されたならまたは発見されるなら、これは利用可能かもしれない。これは、より大きな帯域幅を有してもよいまたは改良されたサービスをアクセスしてもよいＷＷＡＮ迂回中継を介して、異なるＩＢＳＳｓからＷＬＡＮステーションの接続を可能にする。異なるＩＢＳＳｓは、異なるエリアに無線受信地域を提供することができる。これは、互いに対して非継続であり得る。
【００８３】
他の実施形態によれば、ＩＢＳＳネットワークにおけるマルチキャストおよび／またはブロードキャストのための能力がある。ブロードキャストおよびマルチキャストメッセージは、ＷＷＡＮ迂回中継を介して提供することができる。これは、ロケーション情報に基づいてブロードキャストメッセージまたはデータまたはマルチキャストメッセージまたはデータを提供することを容易にすることができる。さらに、これは、ＷＷＡＮを介して利用可能なタイミング情報に基づいて同期されたブロードキャストまたはマルチキャストメッセージを送信するための能力を提供することができる。（例えば、隣接するＷＷＡＮアクセスポイントからのタイミング信号はタイミングの目的のために利用することができる）。
【００８４】
図１７は、例示アドホックメッシュネットワーク１７００を図解する。ネットワーク１７００は、４つのアクセスポイントまたは基地局「Ａ」１７０２、「Ｂ」１７０６、「Ｃ」１７０４および「Ｄ」１７０８を利用したアドホックネットワークとして図解される。アドホックメッシュネットワーク１７００は、任意の数のアクセスポイントを採用することができる。説明の目的のためにのみ４つのアクセスポイントが選択される。アドホックメッシュネットワーク１７００は、（図示するように）アクセスポイントを利用するインフラストラクチャモードのネットワーク、アクセスポイントを利用しないピアツーピアネットワーク、またはインフラストラクチャモード（アクセスポイント）およびピアツーピアモードの両方を利用するネットワークを利用するインフラストラクチャモードにおけるネットワークであり得る。
【００８５】
ネットワーク１７００のトポロジーは、アクセスポイントＡ１７０２は無線通信を介してアクセスポイントＢ１７０４、アクセスポイントＣ１７０６および／またはアクセスポイントＤ１７０８を介して接続されることを、図解する。効率的なリンクに関連する決定は、アクセスポイントに対して確立されなければならない。この決定はワイドエリア制御チャネルを介して実行することができる。この場合、各アクセスポイントはそのＧＰＳ座標（または他のロケーション手段）をセントラルネットワークマネージメント（ＮＭ）システム１７１０に送信する。ネットワーク１７００内の全てのアクセスポイント１７０２、１７０４、１７０６、１７０８のロケーションを有するＮＭシステム１７１０は、アクセスポイント１７０２、１７０４、１７０６、１７０８間のネットワークトポロジーおよび通信リンクを決定する。例えば、ＮＭネットワーク１７１０は、トポロジーにおいて、アクセスポイントＡ１７０２は、アクセスポイントＢ１７０４と接続すべきであり、アクセスポイントＢ１７０４は、アクセスポイントＣ１７０６と接続すべきであり、アクセスポイントＣ１７０６はアクセスポイントＤと接続すべきであることを決定するかもしれない。また、ＮＭシステム１７１０は、周波数管理の機能として各アクセスポイントはどのチャネルを使用すべきかを決定することができる。例えば、ＮＭシステム１７１０は、アクセスポイントＡ  １７０２がチャネルＡまたは２０ＭＨｚチャネルを使用すべきであり、アクセスポイントＢ  １７０４が異なる２０ＭＨｚチャネル等のような異なるチャネルを使用すべきであることを決定することができる。
【００８６】
アドホックネットワークにおいて、アクセスポイントはいつでも削除または追加することができる。しかしながら、アクセスポイント間の通信は、通信のスムーズな送信を提供するために一定のままであるべきである。大事件（災害等）が生じると、全体のトポロジーを変更する必要があるかもしれない。従って、制御チャネルは、過度の干渉なしに適切な接続性を供給するように構成しなければならない。各アクセスポイントはＷＬＡＮ機能性を用いて構成することができる。ＷＬＡＮ機能性は許容チャネルを用いて各アクセスポイントを自動的に構成し、誰かがそのネットワーク管理チャネルを介して通信することを可能にする。この許容チャネルは、制御チャネルの利用可能性の欠落に関連する問題を緩和する。チャネルは、その座標をＮＭシステム１７１０に通信する。これは、任意のレベルの帯域幅を介して確立することができる。狭い帯域のＷＡＮチャネルは、この目的のために十分であり得る。ロケーション情報が受信されると、アドホックネットワークは、再構成することができ、または新しいアドホックネットワークが確立される。
【００８７】
また、ＮＭシステム１７１０は、特定のパケットのルーチングを提供することができる。ＮＭシステム１７１０は各アクセスポイント１７０２、１７０４、１７０６、１７０８をアクセスすることができ、各アクセスポイント１７０２、１７０４、１７０６、１７０８にルーチングテーブルを供給またはダウンロードすることができる。ルーチングテーブルは、特定のパケットまたは特定のタイプのパケットに対してルーチング情報を供給することができる。例えば、音声パケットが送られることになっているなら、（ルーチングテーブルを介して）ＮＭシステム１７１０は、アクセスポイントに対して、音声パケットがアクセスポイントＢ  １７０４に、送られ、次にアクセスポイントＣ  １７０６に送られ、次にアクセスポイントＤ  １７０８等に、音声パケットがその最終あて先に到達するまで送られることになっているように指示することができる。パケットがデータパケットであるなら、ルーチングは、アクセスポイントＤ  １７０８から、アクセスポイントＢ  １７０４、アクセスポイントＡ  １７０２になるかもしれない。ビデオパケットは異なるルートを取るかもしれない。そのような方法で、ＮＭシステム１７１０は、アドホックネットワークのトポロジーまたは構成およびどのようにしてパケットがリアルタイムで送られるかの両方を決定している。従って、ＷＷＡＮネットワークは、アドホックネットワーク（複数の場合もある）１７００を管理するための強力な制御およびシグナリング能力を提供することができ、ＷＬＡＮネットワーク内の接続性ギャップを補うためにデータパスを提供することができる。上述したルーチングおよび／またはトポロジーは例示の目的のためにであり、開示された実施形態を限定することを意味しない。
【００８８】
ＮＭシステム１７１０はパケットルーチングを決定するために、トラヒック感度を考慮することができる。例えば、リンクは、日、週等のある時間期間に確立することができる。ＮＭシステム１７１０は、潜在的なピーク時間（例えば、朝のラッシュアワー、夕方のラッシュアワー・・・）の期間にトラヒックを監視することができる。そのような時間の期間に、トラヒックのあるフローがあり得、ルーチングまたはリンクは高いレベルの柔軟性で要求に応じて構築および／または変更することができる。
【００８９】
ピアツーピアモード（アクセスポイントなし）またはインフラストラクチャモードとピアツーピアモードの組み合わせで動作しているネットワークにおいて、ハンドセットを用いてネットワークまたはネットワークの一部が確立される。そのような状況で、ネットワークの構成は迅速に変更することができるので、ＮＭシステムは、使用されないかもしれない。この状況において、各ハンドセットはその情報をブロードキャストし、その情報を受信するハンドセットは、情報を他のハンドセットに、再ブロードキャストする。情報のこのパッシングオフ(passing off)または再ブロードキャストは、情報があて先に到達するまで継続する。そのようなピアツーピアアドホックネットワークにおいて、第１のハンドセットＡは、ＷＬＡＮを利用してハンドセットＢに通信してもよい。ハンドセットＢは、ＷＷＡＮを利用してハンドセットＣと通信してもよい。ハンドセットがＷＷＡＮ、ＷＬＡＮ、ＷＰＡＮ、Ｗｉ−Ｆｉ等の機能性を有するなら、ハンドセットは、混合モードまたはセットを利用して通信することができる。
【００９０】
図１８を参照すると、１つ以上の開示された実施形態に従って無線通信環境において複数の通信プロトコル間の調整された通信を容易にするシステム１８００を図解する。システム１８００は、アクセスポイント及び／またはユーザー装置に常駐することができる。システム１８００は、例えば受信機アンテナから信号を受信することができる受信機１８０２を含む。受信機１８０２は、受信された信号をフィルタリングし、増幅し、ダウンコンバートする等のように典型的なアクションを実行することができる。また、受信機１８０２は、条件付けされた信号をデジタル化してサンプルを取得することができる。復調器１８０４は、シンボル期間毎に受信されたシンボルを取得することができ、ならびに受信されたシンボルをプロセッサー１８０６に供給することができる。
【００９１】
プロセッサー１８０６は、受信機コンポーネント１８０２により受信される情報を解析し、および／または送信機１８１６による送信のために情報を発生するために設けられるプロセッサーであり得る。プロセッサー１８０６は、ユーザー装置１８００の１つ以上のコンポーネントを制御し、および／または受信機１８０２により受信された情報を解析するプロセッサー１８０６は、送信機１８１６による送信のために情報を発生し、ユーザー装置１８００の１つ以上のコンポーネントを制御する。プロセッサー１８０６は、さらなるユーザー装置との通信を調整することができるコントローラーコンポーネントを含んでいてもよい。
【００９２】
ユーザー装置１８００は、プロセッサー１８０６に動作可能に接続され、調整する通信に関連する情報および任意の他の適切な情報を記憶するメモリ１８０８をさらに含むことができる。メモリ１８０８は、通信を調整することに関連するプロトコルをさらに記憶することができる。ここに記載されたデータ記憶コンポーネント（例えばメモリ）は、揮発性メモリ、または不揮発性メモリ、または揮発性メモリと不揮発性メモリの両方を含むことができることが理解されるであろう。例示であって、限定されないが、不揮発性メモリは、リードオンリメモリ（ＲＯＭ）、プログラマブルＲＯＭ（ＰＲＯＭ）、電気的にプログラム可能なＲＯＭ（ＥＰＲＯＭ）、電気的に消去可能なＲＯＭ（ＥＥＰＲＯＭ）またはフラッシュメモリを含むことができる。揮発性メモリは、外部キャッシュメモリとして動作するランダムアクセスメモリ（ＲＡＭ）を含むことができる。例示であって、限定されないが、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、SynchlinkＤＲＡＭ（ＳＬＤＲＡＭ）およびダイレクトランバスＲＡＭ（ＤＲＲＡＭ(登録商標））のような多くの形態で利用可能である。主題システムおよび／または方法のメモリ１８０８は、限定されることなく、これらのおよび任意の適切なタイプのメモリを含むように意図される。ユーザー装置１８００は、シンボル変調器１８１０および変調された信号を送信する送信機１８１２をさらに含む。
【００９３】
図１９は、種々の観点に従って通信プロトコルの調整を容易にするシステム１９００の説明図である。システム１９００は、基地局またはアクセスポイント１９０２を含む。図示するように、基地局１９０２は受信アンテナ１９０６により１つ以上のユーザー装置１９０４から信号（複数の場合もある）を受信し、送信アンテナ１９０８を介して１つ以上のユーザー装置１９０４に送信する。
【００９４】
基地局１９０２は、受信アンテナ１９０６から情報を受信し、受信された情報を復調する復調器１９１２に動作的に関連する受信機１９１０を含む。復調されたシンボルは、コードクラスター、ユーザー装置割り当て、関連するルックアップテーブル、固有のスクランブリングシーケンス等に関連する情報を記憶するメモリ１９１６に接続されるプロセッサー１９１４により解析される。変調器１９１８は、送信アンテナ１９０８を介して送信機１９２０によりユーザー装置１９０４に送信するために信号を多重化することができる。
【００９５】
図２０は、例示無線通信システム２０００を図解する。無線通信システム２０００は、簡単のために１つの基地局と１つの端末を描画する。しかしながら、システム２０００は、１つ以上の基地局またはアクセスポイントおよび／または１つ以上の端末またはユーザー装置を含むことができることが理解されるべきである。この場合、さらなる基地局および／または端末は、以下に記載する例示基地局および端末と実質的に類似するまたは異なることができる。さらに、基地局および／または端末は、ここに記載されたシステムおよび／または方法を採用して、それらの間の無線通信を容易にすることができることが理解されるべきである。
【００９６】
図２０を参照すると、ダウンリンク上で、アクセスポイント１９０５において、送信（ＴＸ）データプロセッサー２０１０は、トラヒックデータを受信し、フォーマットし、符号化し、インターリーブし、変調し（またはシンボルマップし）、変調シンボル（「データシンボル」）を供給する。シンボル変調器２０１５はデータシンボルおよびパイロットシンボルを受信し処理し、シンボルのストリームを供給する。シンボル変調器２０１５は、データおよびパイロットシンボルを多重化し、Ｎの送信シンボルのセットを取得する。各送信シンボルは、データシンボル、パイロットシンボルまたはゼロの信号値であってもよい。パイロットシンボルは、各シンボル期間に連続的に送信されてもよい。パイロットシンボルは周波数分割多重化（ＦＤＭ）、直交周波数分割多重化（ＯＦＤＭ）、時分割多重化（ＴＤＭ）、周波数分割多重化（ＦＤＭ）または符号分割多重化（ＣＤＭ）であり得る。
【００９７】
送信機ユニット（ＴＭＲＴＲ）２０２０はシンボルのストリームを受信して１つ以上のアナログ信号に変換し、さらにアナログ信号を条件づけし（例えば、増幅し、フィルタし、および周波数アップコンバートする）、無線チャネルを介した送信のために適したダウンリンク信号を発生する。次に、ダウンリンク信号は、アンテナ２０２５を介して端末に送信される。端末２０３０において、アンテナ２０３５は、ダウンリンク信号を受信し、受信した信号を受信機ユニット（ＲＣＶＲ）２０４０に供給する。受信機装置２０４０は、受信された信号を条件づけし（例えば、フィルタし、増幅し、および周波数ダウンコンバートする）、条件付けされた信号をデジタル化し、サンプルを取得する。シンボル復調器２０４５はＮの受信されたシンボルを取得し、受信されたパイロットシンボルをチャネル推定のためにプロセッサー２０５０に供給する。シンボル復調器２０４５は、さらにプロセッサーからダウンリンクのための周波数応答推定値を受信し、受信されたデータシンボルにデータ復調を実行してデータシンボル推定値（これは送信されたデータシンボルの推定値である）を取得し、データシンボル推定値をＲＸデータプロセッサー２０５５に供給する。ＲＸデータプロセッサー２０５５は、データシンボル推定値を復調（例えばシンボルデマップ）し、デインターリーブし、およびデコードし、送信されたトラヒックデータをリカバーする。アクセスポイント２００５において、シンボル復調器２０４５とＲＸデータプロセッサー２０５５による処理は、シンボル変調器２０１５とＴＸデータプロセッサー２０１０による処理に対して相補的である。
【００９８】
アップリンク上において、ＴＸデータプロセッサー２０６０は、トラヒックデータを処理し、データシンボルを供給する。シンボル変調器２０６５は、データシンボルを受信しパイロットシンボルと多重化し、変調を実行し、シンボルのストリームを供給する。次に、送信機ユニット２０７０は、シンボルのストリームを受信して処理し、アップリンク信号を発生する。アップリンク信号は、アンテナ２０３５によりアクセスポイント２００５に送信される。
【００９９】
アクセスポイント２００５において、端末２０３０からアップリンク信号は、アンテナ２０２５により受信され、受信機ユニット２０７５により処理され、サンプルを取得する。次に、シンボル復調器２０８０は、サンプルを処理し、アップリンクのための受信されたパイロットシンボルおよびデータシンボル推定値を供給する。ＲＸデータプロセッサー２０８５は、データシンボル推定値を処理し、端末２０３０により送信されたトラヒックデータをリカバーする。プロセッサー２０９０は、アップリンクに送信する各アクティブ端末に対してチャネル推定を実行する。
【０１００】
プロセッサー２０９０と２０５０は、それぞれアクセスポイント２００５における動作を指示する（例えば、制御し、調整、管理する等）。それぞれのプロセッサー２０９０および２０５０は、プログラムコードおよびデータを記憶するメモリユニット（図示せず）に関連することができる。また、プロセッサー２０９０および２０５０は、それぞれ計算を実行しアップリンクとダウンリンクのための周波数およびインパルス応答推定値を導き出す。
【０１０１】
多重アクセスシステム（例えば、ＦＤＭＡ、ＯＦＤＭＡ、ＣＤＭＡ、ＴＤＭＡ等）の場合、複数の端末は、アップリンク上で同時に送信することができる。そのようなシステムの場合、パイロットサブバンドは、異なる端末間で共有されてもよい。チャネル推定技術は、各端末のためのパイロットサブバンドが全体の動作バンド（恐らくバンドエッジを除けば）に及ぶ場合に使用されてもよい。そのようなパイロットサブバンド構造は各端末のための周波数ダイバーシティを取得するために望ましいであろう。本明細書に記載された技術は、種々の手段により実施されてもよい。例えば、これらの技術は、ハードウエア、ソフトウエア、またはそれらの組み合わせで実施されてもよい。ハードウエア実施の場合、チャネル推定に使用される処理ユニットは、１つ以上の特定用途向け集積回路（ＡＳＩＣｓ）、デジタルシグナルプロセッサー（ＤＳＰｓ）、デジタルシグナル処理装置（ＤＳＰＤｓ）、プログラマブルロジック装置（ＰＬＤｓ）、フィールドプログラマブルゲートアレイ（ＦＰＧＡｓ）、プロセッサー、コントローラー、マイクロコントローラー、マイクロプロセッサー、本明細書に記載した機能を実行するように設計された他の電子装置またはそれらの組み合わせ内で実施されてもよい。ソフトウエアの場合、実施は、本明細書に記載した機能を実行するモジュール（例えば、手続、機能等）を介して実行することができる。ソフトウエアコードは、メモリユニットに記憶してもよく、プロセッサー２０９０および２０５０により実行されてもよい。
【０１０２】
本明細書において記載した実施形態は、ハードウエア、ソフトウエア、ファームウエア、ミドルウエア、マイクロコード、またはそれらの任意の組み合わせにより実施されてもよいことが理解されるべきである。システムおよび／または方法がソフトウエア、ファームウエア、ミドルウエア、またはマイクロコード、プログラムコードまたはコードセグメントで実施されるとき、それらは記憶コンポーネントのような機械読み取り可能な媒体に記憶されてもよい。コードセグメントは、手続、機能、サブプログラム、プログラム、ルーチン、サブルーチン、モジュール、ソフトウエアパッケージ、クラスまたは命令の任意の組み合わせ、データ構造またはプログラムステートメントを表してもよい。コードセグメントは、情報、データ、アーギュメンツ、パラメーター、またはメモリコンテンツを渡すおよび／または受信することにより他のコードセグメントまたはハードウエア回路に接続されてもよい。情報、アーギュメンツ、パラメーター、データ等は、メモリ共有、メッセージパッシング、トークンパッシング、ネットワーク送信等を含む任意の適切な手段を用いて渡され、送られ、送信されてもよい。
【０１０３】
ソフトウエア実施の場合、本明細書に記載された技術は、本明細書に記載された機能を実行するモジュール（例えば、手続、機能等）を用いて実施されてもよい。ソフトウエアコードは、メモリに記憶されてもよく、プロセッサーにより実行されてもよい。メモリユニットは、プロセッサー内部またはプロセッサー外部で実施されてもよい。プロセッサー外部で実施される場合、メモリユニットは、技術的に知られた種々の手段を介して通信可能にプロセッサーに接続することができる。
【０１０４】
上に記載されたものは、１つ以上の実施形態の例を含む。もちろん、前述の実施形態を記載する目的のためにコンポーネントまたは手順の全ての考えられる組み合わせを記載することは不可能である。従って、記載された実施形態は、添付されたクレームの精神および範囲内に入るすべてのそのような変更、変形および変形物を包含することを意図している。"include"という用語が詳細な説明またはクレームにおいて使用される限りにおいて、そのような用語は、クレームにおいて暫定用語として採用される"comprising"と同様の方法で包括的であることが意図される。
【図１】
0005571120.tif 000002
【図２】
0005571120.tif 000003
【図３】
0005571120.tif 000004
【図４】
0005571120.tif 000005
【図５】
0005571120.tif 000006
【図６】
0005571120.tif 000007
【図７】
0005571120.tif 000008
【図８】
0005571120.tif 000009
【図９】
0005571120.tif 000010
【図１０】
0005571120.tif 000011
【図１１】
0005571120.tif 000012
【図１２】
0005571120.tif 000013
【図１３】
0005571120.tif 000014
【図１４】
0005571120.tif 000015
【図１５】
0005571120.tif 000016
【図１６】
0005571120.tif 000017
【図１７】
0005571120.tif 000018
【図１８】
0005571120.tif 000019
【図１９】
0005571120.tif 000020
【図２０】
0005571120.tif 000021